(57)【要約】【課題】導光および遮光のために専用の別部材を設けることなく、簡単な構成で、ボタン表面の文字やキャラクタを均一に発光させることができ、機器内部および外部への光漏れを防止することを可能にした発光ボタン機構を提供すること。【解決手段】光を透過する導光部（１５６ｂ）を有する操作部（１５６）と、前記操作部を挿通する穴（２０４）を有する外装カバー（２００）と、前記操作部を押すことにより、弾性変形する可動部（２１０ｂ）と、さらに、前記操作部を押すことにより、作動する接点部（２１０ｃ）を有するスイッチ部（２１０）と、前記操作部と、前記スイッチ部で形成された略密閉空間（４００）に配置された、前記導光部を光らせる発光手段（３００）と、前記発光手段に接続する導電パターン（５００）が前記スイッチ部に形成され、前記導電パターンのうち、少なくとも前記可動部に形成された前記導電パターンは、直線状ではないことを特徴とする。【選択図】図１
2017147019.tif 000002
【特許請求の範囲】
【請求項１】
光を透過する導光部（１５６ｂ）を有する操作部（１５６）と、
前記操作部を挿通する穴部（２０４）を有する外装カバー（２００）と、
前記操作部を押すことにより、弾性変形する可動部（２１０ｂ）と、
さらに、前記操作部を押すことにより、作動する接点部（２１０ｃ）を有するスイッチ部（２１０）と、
前記操作部と、前記スイッチ部で形成された密閉空間（４００）に配置された、前記導光部を光らせる発光手段（３００）と、
前記発光手段に電気的に接続する導電パターン（５００）が前記スイッチ部に一体的に形成され、
前記導電パターンのうち、少なくとも前記可動部に形成された前記導電パターンは、直線状ではないことを特徴とする発光ボタン機構。
【請求項２】
前記可動部に形成された前記導電パターンはジグザグ形状または、螺旋形状であることを特徴とする請求項１に記載の発光ボタン機構。
【請求項３】
前記導光部の外観面と、前記発光手段の発光面（３００ａ）は、平行であることを特徴とする請求項１に記載の発光ボタン機構。
【請求項４】
光を透過する導光部と、
外周に円周状のフランジ部（１５６ｃ）とを有する操作部と、
前記操作部を挿通する穴部と、前記フランジ部に対向する部分に円周状の係止部（２０４ｂ）とを有する外装カバーと、
前記操作部を押すことにより、弾性変形する可動部と、
さらに、前記操作部を押すことにより、作動する接点部を有するスイッチ部と、
前記操作部と、前記スイッチ部で形成された密閉空間に配置された、前記導光部を光らせる発光手段と、
前記発光手段に電気的に接続する導電パターン（５００ａ）が前記フランジ部に一体的に形成され、
前記フランジ部に一体的に形成された導電パターン（５００ａ）と当接することで、電気的に接続する導電パターン（５００ｂ）が前記係止部に一体的に形成されていることを特徴とする発光ボタン機構。
【請求項５】
前記フランジ部および係止部に形成された導電パターンは円周状であることを特徴とする請求項４に記載の発光ボタン機構。
【請求項６】
前記スイッチ部は前記操作部と、前記スイッチ部で形成された密閉空間に反射面２１０ｆを有し、
前記発光手段の発光面は前記反射面を介して、前記導光部を光らせる位置に配置されていることを特徴とする請求項４に記載の発光ボタン機構。
【請求項７】
前記操作部は前記フランジ部に一体的に形成された導電パターンの内周側に凹形状の溝部（１５６ｆ）を有し、
前記外装カバーの穴部は、前記溝部に対向する部分で、かつ、前記係止部の内周側に凸形状の突起部が隙間をもって形成されていることを特徴とする請求項４に記載の発光ボタン機構。
【請求項８】
複数の操作部を有し、
前記フランジ部に一体的に形成された導電パターンと、前記係止部に一体的に形成された導電パターンが、当接していないときに、前記操作部が操作されていると判断する検知手段（１４０）を有し、
複数の操作部のうち、ひとつの操作部が操作されているときに、他の操作部の発光を停止するように制御することを特徴とする請求項１乃至請求項７の何れか一項に記載の発光ボタン機構。
【請求項９】
前記導光部は前記操作部の天面に露出していることを特徴とする請求項１乃至請求項８の何れか一項に記載の発光ボタン機構。
【請求項１０】
前記導光部は前記操作部の外周側面に露出していることを特徴とする請求項１乃至請求項８の何れか一項に記載の発光ボタン機構。
【発明の詳細な説明】
【技術分野】
【０００１】
本発明は、操作ボタンに関し、特に電子機器に用いられ、機器内部からボタン表面の文字やキャラクタを発光させる発光ボタン機構に関する。
【背景技術】
【０００２】
従来、電子機器の操作ボタンにおいて、夜間や暗所での視認性を良くするために、ボタン表面の文字やキャラクタを発光させる機器があった。以下、ボタン表面の文字やキャラクタを発光させる操作ボタンを「発光ボタン」と称する。また、電子機器の操作ボタンにおいて、良好な操作感を得るために、ゴムスイッチを用いた押しボタンスイッチがあった。
【０００３】
特許文献１では、１つまたは複数の透光性キートップと、キートップの底面側に配置された、開口部を有する厚さ２０〜５０μｍの遮光性加飾層をキートップに対向する面に備えた弾性ベースシートとを、少なくとも備える。さらに、キートップの底面の一部は遮光性加飾層と接しており、遮光性加飾層の前記開口部に接着剤が充填されていることで、キートップの所定領域以外からの光漏れを防止することができる、押しボタンスイッチ部材が開示されている。
【０００４】
また、特許文献２では、操作部材の形状は、照明手段からの照明光が、導電部の設置される側と対向する操作部材面を均一に照明するよう照明光を屈折させる形状になっている。さらに、操作部材の側方に、遮光部材を設けることで、カバーと操作部材の隙間から照明光が漏れることを防止することができ、夜間や暗所において操作部材の視認性を向上させることができる、操作部発光機構が開示されている。
【０００５】
また、特許文献３では、ボタン部に形成した光を透過する文字の裏面に対向して、プリント基板に取り付けた照明用ＬＥＤを配置する。その照明用ＬＥＤが発する照明光を通す貫通孔を中央部に有し、かつ照明用ＬＥＤの周囲に、ボタン部を押すことにより作動する複数のスイッチ接点を配置したラバーコンタクトスイッチを設ける。上記構成により、照明用ＬＥＤとラバーコンタクトスイッチを同時にボタン部の中央部に配置させているので、ボタン部の文字を裏面から均一に照明し、スイッチ動作における良好なクリック感を得ることができる、押しボタンスイッチ装置が開示されている。
【先行技術文献】
【特許文献】
【０００６】
【特許文献１】特開２０１３−５８３５１号公報
【特許文献２】特開２０１２−１２３３７２号公報
【特許文献３】特開平１１−３０６９００号公報
【発明の概要】
【発明が解決しようとする課題】
【０００７】
しかしながら、特許文献１に開示された従来技術では、光源から機器内部への光漏れについて、言及されていない。また、キートップの製造方法が複雑であるという課題があった。
【０００８】
特許文献２に開示された従来技術では、照明手段に光源のほか、専用の導光板が必要である。さらに、遮光のために専用の別部材を設けているという課題があった。
【０００９】
特許文献３に開示された従来技術では、ボタン部とラバーコンタクトスイッチの間からの機器内部への光漏れについて、言及されていない。また、複数のスイッチ接点を設けているため、ボタンの押し方によっては、感触が変わってしまうという課題があった。さらに、同一プリント基板にＬＥＤと接点を配置しなければならないため、スペースが必要であるという課題があった。
【００１０】
そこで、本発明の目的は、導光および遮光のために専用の別部材を設けることなく、簡単な構成で、ボタン表面の文字やキャラクタを均一に発光させることができ、機器内部および外部への光漏れを防止することを可能にした発光ボタン機構を提供することにある。
【課題を解決するための手段】
【００１１】
上記の目的を達成するために、本発明に係る発光ボタン機構は、
光を透過する導光部（１５６ｂ）を有する操作部（１５６）と、
前記操作部を挿通する穴（２０４）を有する外装カバー（２００）と、
前記操作部を押すことにより、弾性変形する可動部（２１０ｂ）と、
さらに、前記操作部を押すことにより、作動する接点部（２１０ｃ）を有するスイッチ部（２１０）と、
前記操作部と、前記スイッチ部で形成された略密閉空間（４００）に配置された、前記導光部を光らせる発光手段（３００）と、
前記発光手段に接続する導電パターン（５００）が前記スイッチ部に形成され、
前記導電パターンのうち、少なくとも前記可動部に形成された前記導電パターンは、直線状ではないことを特徴とする。
【発明の効果】
【００１２】
本発明によれば、導光および遮光のために専用の別部材を設けることなく、簡単な構成で、ボタン表面の文字やキャラクタを均一に発光させることができ、機器内部および外部への光漏れを防止することを可能にした発光ボタン機構を提供することができる。
【図面の簡単な説明】
【００１３】
【図１】本発明の実施形態にかかわるカメラの構成ブロック図である。
【図２】本発明の実施形態にかかわるカメラの外観図である。
【図３】本発明の実施形態にかかわるカメラの背面ユニットの一部の分解斜視図である。
【図４】本発明の実施例１にかかわるカメラの発光ボタンの断面図である。
【図５】本発明の実施例１にかかわるカメラの導電パターンである。
【図６】本発明の実施例２にかかわるカメラの発光ボタンの断面図である。
【図７】本発明の実施例２にかかわるカメラの発光制御フローである。
【図８】本発明の実施例３にかかわるカメラの発光ボタンの断面図である。
【図９】一般的なカメラのファインダを覗いている状態の撮影姿勢を示した図である。
【発明を実施するための形態】
【００１４】
以下に、本発明の好ましい実施の形態を、添付の図面に基づいて詳細に説明する。
【実施例１】
【００１５】
まず、図１と図２を用いてカメラの構成を説明する。
【００１６】
図１は本発明の実施形態にかかわるカメラの構成ブロック図である。図２は本発明の実施形態にかかわるカメラの外観図である。図２の（ａ）は正面図、（ｂ）は上面図、（ｃ）は側面図、（ｄ）は背面図である。
【００１７】
図１および図２において、カメラ１００は、撮影光束を取り込む撮影レンズ（不図示）が着脱可能なマウント１１０を有する。マウント１１０に取り付けられた撮影レンズ（不図示）は電子接点１２０を介して、撮影レンズ（不図示）の着脱やレンズ情報が後述するＣＰＵ１４０に送信される。１３０は撮影レンズ（不図示）から取り込んだ撮影光束を光電変換する、ＣＭＯＳやＣＣＤなどからなる撮像素子である。撮影レンズ（不図示）から取り込んだ撮影光束は、撮像素子１３０によって光電変換され、撮影画像として記録媒体（不図示）に記録される。１４０はＣＰＵで、カメラ１００の動作制御を行う。ＣＰＵ１４０は本発明の請求項に記載の検知部に相当する。
【００１８】
カメラ１００には、押しボタン式や回転レバー式の操作部材１５０（１５１〜１５８）が設けられている。１５１は押し込むことで撮影動作をおこなう、シャッタボタンである。シャッタボタン１５１は２段階式に構成されている。具体的には、シャッタボタン１５１を軽く押して止める「半押し」の状態で自動焦点調節（ＡＦ）及び自動露出制御（ＡＥ）が作動してＡＦとＡＥをロックし、「半押し」から更に押し込む「全押し」することにより撮影が行われるようになっている。
【００１９】
１５２はカメラ１００の電源を「ｏｎ」と「ｏｆｆ」に切り替える電源レバーである。１５３は撮影設定を選択するモードに入るための撮影設定ボタンである。１５４は撮影画像にお気に入り情報を付加するためのレーティングボタンである。１５５は撮影画像を再生時に拡大および縮小するための拡大縮小ボタンである。１５６は撮影画像を再生するための再生ボタンである。再生ボタン１５６は本発明の請求項に記載の操作部に相当する。
【００２０】
１５７は再生画像を消去するための消去ボタンである。１５８は自動焦点調節（ＡＦ）及び自動露出制御（ＡＥ）を作動させるためのＡＦスタートボタンである。操作部材１５０が操作されると、その操作信号が回路基板（不図示）を介して、ＣＰＵ１４０に送信される。そして、ＣＰＵ１４０によって、操作部材１５０の機能に応じたカメラ１００の動作制御を行う。
【００２１】
１６０は撮影画像や、カメラ１００の設定を変更するための設定画面などを表示する背面モニタである。背面モニタ１６０は、タッチパネル機能を有し、ユーザーが指やスタイラス（不図示）などで背面モニタ１６０の表面をタッチ操作やスライド操作することで、撮影画像の編集やカメラ設定の変更が可能である。１７０は撮影レンズ（不図示）から取り込んだ撮影光束が再結像された画像を表示するファインダである。
【００２２】
つぎに図３を用いてカメラの背面ユニットの構成を説明する。
【００２３】
図３は本発明の実施形態にかかわるカメラの背面ユニットの一部の分解斜視図である。
【００２４】
２００は背面カバーである。背面カバー２００は本発明の請求項に記載の外装カバーに相当する。背面カバー２００には、操作部材１５３〜１５７を挿通するボタン穴２０１〜２０５が設けられている。２１０はシリコーンゴムなどの弾性材料で形成されたスイッチゴムである。スイッチゴム２１０は本発明の請求項に記載のスイッチ部に相当する。
【００２５】
２２０は可撓性を有するフレキシブル基板である。２３０は金属板金などの剛性を有する材料で形成された保持板である。２４０は取り付けねじである。図３のとおり、操作部材１５３〜１５７と、スイッチゴム２１０と、フレキシブル基板２２０と、保持板２３０が、背面カバー２００に対し、同一方向に重ねられ、取り付けねじ２４０で締結されている。
【００２６】
以下、図４および図５を参照して、本発明の第１の実施例による、発光ボタン機構について説明する。
【００２７】
図４は本発明の実施例１にかかわるカメラの発光ボタンの断面図である。図５は本発明の実施例１にかかわるカメラの導電パターンである。
【００２８】
ここで、本実施例の説明では、再生ボタン１５６の断面を用いて説明を行う。撮影設定ボタン１５３、レーティングボタン１５４、拡大縮小ボタン１５５、消去ボタン１５７も同様の構造である。本実施例の発光ボタン機構は、いわゆるスイッチゴムを用いた押しボタン式の操作部材である。このような押しボタン式の操作部材は公知の技術であるため、詳細な説明は省略する。
【００２９】
図４において、背面カバー２００のボタン穴２０４には、再生ボタン１５６が挿通する挿通部２０４ａと、係止部２０４ｂと、リブ部２０４ｃが円周状に形成されている。ボタン穴２０４は本発明の請求項に記載の穴部に相当する。
【００３０】
再生ボタン１５６は、樹脂などで形成され、着色樹脂などの光を透過しない材料で形成されたボタン部１５６ａと、透明や乳白色の樹脂などの光を透過する材料で形成された導光部１５６ｂが２色成形などにより一体的に形成されている。導光部１５６ｂの外観形状をキャラクタや文字形状とすることで、後述する発光部材３００が発光時において、キャラクタや文字形状に光らせるように構成されている。詳細については後述する。
【００３１】
１５６ｃはボタン部１５６ａよりも外側に円周状に形成されたフランジ部で、係止部２０４ｂに当接している。これにより、再生ボタン１５６が背面カバーから外れてしまうことを防止するとともに、砂ゴミや水の侵入を防止することができる。
【００３２】
再生ボタン１５６の導光部１５６ｂと反対側には底部１５６ｄが形成されている。底部１５６ｄの略中央には凹部１５６ｅが形成されている。ここで導光部１５６ｂの一方の面は外観側に露出している。また、他方の面は凹部１５６ｅに面している。導光部１５６ｂの凹部１５６ｅに面した部分には、ブラスト加工などにより、表面に微細な凹凸を設けている。これにより、導光部１５６ｂの外観面（外観側に露出している面）をより均一に光らせることができる。
【００３３】
スイッチゴム２１０はベース部２１０ａ、スカート部２１０ｂ、接点部２１０ｃ、スイッチ部２１０ｄ、ボタン支持部２１０ｅを有している。スカート部２１０ｂは本発明の請求項に記載の可動部に相当する。ベース部２１０ａには開口を有し、開口からフレキシブル基板２２０が露出している。ベース部２１０ａの開口から露出したフレキシブル基板２２０に対向する部分には、接点部２１０ｃが配置されている。ここで、接点部２１０ｃは再生ボタン１５６の外径の略中央軸線上に配置されている。
【００３４】
また、開口の周囲には円周状に弾性を有するスカート部２１０ｂが形成されている。スカート部２１０ｂは再生ボタン１５６が押下されたときに、弾性変形し、クリック感を発生させる機能を有する。スカート部２１０ｂのベース部２１０ａと反対側には、スイッチ部２１０ｄとボタン支持部２１０ｅが形成されている。スイッチ部２１０ｄはボタン支持部２１０ｅに対し凸形状であり、凹部１５６ｅに入り込むように配置されている。ボタン支持部２１０ｅは底部１５６ｄと当接している。ここで、凹部１５６ｅとボタン支持部２１０ｅによって、密閉空間４００を形成している。
【００３５】
スイッチ部２１０ｄの天面には、ＬＥＤなどの発光素子からなる、発光部材３００が配置されている。発光部材３００は本発明の請求項に記載の発光手段に相当する。発光部材３００に図示しない電源部から電力が供給されると、発光面３００ａが発光し、発光面３００ａから照射された光が導光部１５６ｂの凹部１５６ｅに面している部分に取り込まれ、導光部１５６ｂを通じて、導光部１５６ｂの外観面を光らせる。これにより、ユーザーが暗所などで操作部材の位置を迷うことなく視認できる。
【００３６】
また、導光部１５６ｂの外観形状をキャラクタや文字形状としているので、ユーザーが暗所などで操作部材の機能を間違うことなく、選択できる。
【００３７】
さらに、密閉空間４００内部に発光部材３００が配置されているので、カメラ１００の内部や外部への光漏れを防止することができる。ここで発光部材３００の発光面３００ａは、導光部１５６ｂの外観面と略平行の向きに配置することが好ましい。たとえば、導光部１５６ｂの外観形状に傾斜がある場合は、その傾斜に合わせて、発光面３００ａを傾けて配置する。具体的には、スイッチ部２１０ｄの天面に、導光部１５６ｂの外観形状と略平行な傾斜を設けて、発光部材３００を配置する。これにより、導光部１５６ｂの外観面をより均一に光らせることができる。
【００３８】
スイッチゴム２１０の表面には発光部材３００と電気的に接続するための導電パターン５００が形成されている。導電パターン５００はスイッチゴム２１０の表面に対してめっき等の金属膜で電気回路（電極パターン）を形成する、いわゆる筐体配線である。
【００３９】
図５はスイッチゴム２１０の表面に形成された導電パターン５００の形状を示した図である。図５（ａ）に示す通り、導電パターン５００は、スカート部２１０ｂの表面においては、ジグザグに蛇行した形状とすることが好ましい。また、図５（ｂ）に示す通り、らせん状の形状としても良い。これにより、再生ボタン１５６が押下され、スカート部２１０ｂが弾性変形したときに、導電パターン５００の断線を防止することができる。ここで本実施例では、説明を簡略にするため、導電パターン５００を１本の線で示したが、複数本配置しても良い。
【００４０】
導電パターン５００は図示しない電気回路（電極パターン）を介して、図示しない電源部やＣＰＵ１４０に電気的に接続され、発光部材３００の発光制御を行う。フレキシブル基板２２０には接点部２１０ｃと対向する部分に接点パターン２２０ａを有している。接点パターン２２０ａは図示しない電気回路（電極パターン）を介して、ＣＰＵ１４０に電気的に接続されている。再生ボタン１５６が押下されると、接点部２１０ｃと接点パターン２２０ａが接触することで導通し、その電気信号がＣＰＵ１４０に送信される。
【実施例２】
【００４１】
以下、図６、図７、および図９を参照して、本発明の第２の実施例による、発光ボタン機構について説明する。説明を簡略化するため、第１の実施例と構成が異なる部分についてのみ説明する。
【００４２】
図６は本発明の実施例２にかかわるカメラの発光ボタンの断面図である。図７は本発明の実施例２にかかわるカメラの発光制御フローである。図９は一般的なカメラのファインダを覗いている状態の撮影姿勢を示した図である。
【００４３】
図６において、発光部材３００は発光面３００ａが導光部１５６ｂの外観面に対し、略直交するように、凹部１５６ｅの内側側面に配置されている。スイッチゴム２１０のスイッチ部２１０ｄの一部に反射部２１０ｆが形成されている。反射部２１０ｆは、発光面３００ａから照射された光が導光部１５６ｂの凹部１５６ｅに面している部分に反射するような傾斜を有する。
【００４４】
再生ボタン１５６のフランジ部１５６ｃには、凹形状を有する溝部１５６ｆが円周状に形成されている。ボタン穴２０４の係止部２０４ｂには、溝部１５６ｆに対向する位置に凸形状の突起リブ２０４ｄが円周状に形成されている。突起リブ２０４ｄは本発明の請求項に記載の突起部に相当する。溝部１５６ｆと突起リブ２０４ｄの間には隙間を有する。
【００４５】
再生ボタン１５６の凹部１５６ｅ、底部１５６ｄ、フランジ部１５６ｃの表面には、発光部材３００と電気的に接続するための導電パターン５００ａが形成されている。ボタン穴２０４の係止部２０４ｂ、突起リブ２０４ｄの表面には、再生ボタン１５６の凹部１５６ｅ、底部１５６ｄ、フランジ部１５６ｃの表面に形成された導電パターン５００ａと電気的に接続するための導電パターン５００ｂが円周状に形成されている。
【００４６】
導電パターン５００ａと導電パターン５００ｂは、フランジ部１５６ｃと係止部２０４ｂが当接することで、電気的に接続される。導電パターン５００ｂは図示しない電気回路（電極パターン）を介して、ＣＰＵ１４０に電気的に接続されている。そして、導電パターン５００ａと導電パターン５００ｂの電気的な接続を検知することで、再生ボタン１５６が押されているか否かを判断できる構成になっている。
【００４７】
ここで、本発明の第２の実施例では、再生ボタン１５６のフランジ部１５６ｃの表面に形成された導電パターン５００ａと、ボタン穴２０４の係止部２０４ｂの表面に形成された導電パターン５００ｂを有する構成とした。さらに好ましい構成として、本発明の第１の実施例と同様に、スイッチゴム２１０の表面に発光部材３００と電気的に接続するための導電パターン５００を有する構成としても良い。
【００４８】
上記のとおり、発光面３００ａが導光部１５６ｂの外観面に対し、略直交するように、凹部１５６ｅの内側側面に配置し、反射部２１０ｆを介して、導光部１５６ｂの外観面を光らせるようにした。これにより、導光部１５６ｂの外観面に発光部材３００の光がスポット光となって見えてしまうことが防止でき、導光部１５６ｂの外観面をより均一に光らせることができる。また、凹形状を有する溝部１５６ｆおよび凸形状の突起リブ２０４ｄを円周状に形成したことで、砂ゴミや水の侵入を防止できる。フランジ部１５６ｃの導電パターン５００ａとリブ部２０４ｄの導電パターン５００ｂを円周状に形成したことで、接続信頼性が向上する。
【００４９】
次に、図７を参照して、本発明の第２の実施例による、発光ボタン機構の発光制御について説明する。
【００５０】
図７において、カメラ１００の電源がｏｎになり、撮影待機状態で、Ｓ６００では、ＣＰＵ１４０によって、ボタンの発光をｏｎにする。具体的には、不図示の電源部から不図示の電気回路（電極パターン）を介し、発光部材３００に電力を供給する。
【００５１】
次に、Ｓ６１０では、ＣＰＵ１４０によって、ボタンが押されているか否かを判断する。ボタンが押されている（Ｙｅｓ）場合は、Ｓ６２０に進み、ボタンが押されていない（Ｎｏ）場合はＳ６１０を繰り返す。
【００５２】
つぎに、Ｓ６２０では、ＣＰＵ１４０によって、ボタンの発光をｏｆｆにする。ここで、ボタンが押された場合に、他のボタンの発光もｏｆｆにしても良い。これにより、発光ボタンの不要な発光を制御することができる。
【００５３】
次に、図９を参照して、本発明の第２の実施例の変形例について説明する。
【００５４】
図９において、ユーザーは撮影時にファインダ１７０に接眼した姿勢となる。また、被写体に焦点を合わせるときには、親指でＡＦスタートボタン１５８を押す。ＡＦスタートボタン１５８には、図示はしないが、再生ボタン１５６のフランジ部１５６ｃの表面に形成された導電パターン５００ａと、ボタン穴２０４の係止部２０４ｂの表面に形成された導電パターン５００ｂと同様の構成が適応できる。導電パターン５００ｂは図示しない電気回路（電極パターン）を介して、ＣＰＵ１４０に電気的に接続されている。そして、導電パターン５００ａと導電パターン５００ｂの電気的な接続を検知することで、ＡＦスタートボタン１５８が押されてはじめているか否かを判断できる構成になっている。ここで、ＡＦスタートボタン１５８は発光部材３００を採用しなくても良い。
【００５５】
上記のとおり、発光ボタン以外の操作ボタンを、押されてはじめているか否かを判断できる構成にすることで、発光ボタンの不要な発光を制御することができる。
【実施例３】
【００５６】
以下、図８を参照して、本発明の第３の実施例による、発光ボタン機構について説明する。説明を簡略化するため、第１の実施例と構成が異なる部分についてのみ説明する。
【００５７】
図８は本発明の実施例３にかかわるカメラの発光ボタンの断面図である。
【００５８】
第１の実施例とは導光部１５６ｂの構成のみ異なる。図８に示す通り、導光部１５６ｂはボタン部１５６ａと略同一の外径で形成され、側面外周がボタン部１５６ａの側面外周に露出している。また、実施例１と同様に、導光部１５６ｂの一部は凹部１５６ｅに面している。発光部材３００を発光させたときには、発光面３００ａから照射された光が導光部１５６ｂの凹部１５６ｅに面している部分に取り込まれ、導光部１５６ｂを通じて、導光部１５６ｂの側面外周を光らせる。これにより、ユーザーからはリング状に光って見える意匠性が高い発光ボタン機構が提供できる。ここで発光部材３００は導光部１５６ｂの略中央軸線上に配置することが好ましい。これにより、導光部１５６ｂの側面外周をより均一に光らせることができる。
【００５９】
以上、本発明の好ましい実施形態について説明したが、本発明はこれらの実施形態に限定されず、その要旨の範囲内で種々の変形及び変更が可能である。
【符号の説明】
【００６０】
１００  カメラ、１１０  マウント、１２０  電子接点、１３０  撮像素子、
１４０  ＣＰＵ、１５０  操作部材、１５１  シャッタボタン、１５２  電源レバー、
１５３  撮影設定ボタン、１５４  レーティングボタン、１５５  拡大縮小ボタン、
１５６  再生ボタン、１５６ａ  ボタン部、１５６ｂ  導光部、１５６ｃ  フランジ部、
１５６ｄ  底部、１５６ｅ  凹部、１５６ｆ  溝部、１５７  消去ボタン、
１５８  ＡＦスタートボタン、１６０  背面モニタ、１７０  ファインダ、
２００  背面カバー、２０１，２０２，２０３，２０４，２０５  ボタン穴、
２０４ａ  挿通部、２０４ｂ  係止部、２０４ｃ  リブ部、２０４ｄ  突起リブ、
２１０  スイッチゴム、２１０ａ  ベース部、２１０ｂ  スカート部、
２１０ｃ  接点部、２１０ｄ  スイッチ部、２１０ｅ  ボタン支持部、
２１０ｆ  反射部、２２０  フレキシブル基板、２２０ａ  接点パターン、
２３０  保持板、２４０  取り付けねじ、３００  発光部材、３００ａ  発光面、
４００  密閉空間、５００，５００ａ，５００ｂ  導電パターン
【図１】
2017147019.tif 000003
【図２】
2017147019.tif 000004
【図３】
2017147019.tif 000005
【図４】
2017147019.tif 000006
【図５】
2017147019.tif 000007
【図６】
2017147019.tif 000008
【図７】
2017147019.tif 000009
【図８】
2017147019.tif 000010
【図９】
2017147019.tif 000011